(57)【要約】【課題】ノズルの開口を容易に開閉できるとともに吐出が容易なノズルキャップを提供することである。【解決手段】容器本体１０の口部に装着されるキャップ本体２１と、キャップ本体２１から突出する筒状のノズル２２とを備えたノズルキャップ２０に、ノズル２２の外周にノズル２２の軸方向に沿って移動自在に装着される環状の可動支持体５０と、可動支持体５０にヒンジ５７を介して連結されてノズル２２の開口端を覆う閉位置と、ノズル２２の開口端から離脱する開位置との間で開閉自在の蓋体Ｃを設ける。【選択図】図２
2014148333.tif 000002
【特許請求の範囲】
【請求項１】
容器本体の口部に装着されるキャップ本体と、該キャップ本体から突出する筒状のノズルとを備えたノズルキャップであって、
前記ノズルの外周に該ノズルの軸方向に沿って移動自在に装着される環状の可動支持体と、
前記可動支持体にヒンジを介して連結されて前記ノズルの開口端を覆う閉位置と、前記ノズルの開口端から離脱する開位置との間で開閉自在の蓋体とを有することを特徴とするノズルキャップ。
【請求項２】
前記蓋体が、前記ノズルの開口よりも小さい注出孔が設けられ、前記可動支持体にヒンジを介して連結されて前記ノズルの開口端に配置される閉位置と、該ノズルの開口端から離脱する開位置との間で開閉自在の下段キャップと、
前記下段キャップにヒンジを介して連結され、前記注出孔を閉塞する閉位置と該注出孔を開放する開位置との間で開閉自在の上段キャップとを有することを特徴とする請求項１に記載のノズルキャップ。
【請求項３】
前記ノズルの外周面に、前記可動支持体の内周面に設けた係止爪に係合して該可動支持体の前記ノズルからの抜けを防止する抜け防止用突起が設けられる請求項１または２に記載のノズルキャップ。
【請求項４】
前記ノズルの前記抜け防止用突起よりも基端側の外周面に、前記蓋体が開位置とされたときに前記係止爪が前記ノズルの基端側から係合可能な保持用突起が設けられる請求項３に記載のノズルキャップ。
【請求項５】
前記キャップ本体の内側に、前記容器本体に収容された内容物と空気とを混合する気液混合栓が設けられ、前記ノズルの内部に内容物と空気との混合物を発泡させる発泡部材が設けられる請求項１〜４のいずれか１項に記載のノズルキャップ。
【発明の詳細な説明】
【技術分野】
【０００１】
本発明は、容器本体の口部に装着されるキャップ本体とキャップ本体から突出する筒状のノズルとを備えたノズルキャップに関する。
【背景技術】
【０００２】
従来から、この種のノズルキャップは、例えばシャンプー、リンス、液体石鹸等の内容物を収納する容器に用いられている。例えば特許文献１には、キャップ本体と直角に曲がった円筒状のノズルとを備えたノズルキャップが記載されている。このようなノズルキャップに設けられるノズルは引用文献１に記載されるように直角に曲がるものに限らずキャップ本体から真っ直ぐに延びるものも知られており、何れの場合もノズルの先端から吐出対象物に向けて内容物を容易に吐出させることができる。
【先行技術文献】
【特許文献】
【０００３】
【特許文献１】特開２００９−１４９３２７号公報
【発明の概要】
【発明が解決しようとする課題】
【０００４】
従来のノズルキャップでは、不使用時には、アンダーカット係合によりキャップ本体に取り付け可能なオーバーキャップやねじ込みによりキャップ本体に取り付け可能なスクリューキャップ等の蓋体をキャップ本体に取り付けて、この蓋体によりノズル全体を覆うようにしているものもあった。
【０００５】
しかしながら、蓋体をキャップ本体に取り付ける構成では、内容物を吐出する際に当該蓋体をキャップ本体から取り外す必要があるので、蓋体を紛失しないように管理する必要があるなど、蓋体の取り扱いは煩雑である。
【０００６】
これに対して、ノズルの先端にヒンジキャップ（蓋体）を設けて、このヒンジキャップによりノズルの開口を開閉する構造が考えられる。しかしながら、この構造では、内容物を吐出させる際にノズルの先端を吐出対象物に近づけると、開いた蓋体が邪魔になるという問題点があった。
【０００７】
本発明は、このような従来の問題点を解決することを課題とするものであり、その目的は、ノズルの開口を容易に開閉できるとともに吐出が容易なノズルキャップを提供することにある。
【課題を解決するための手段】
【０００８】
本発明のノズルキャップは、容器本体の口部に装着されるキャップ本体と、該キャップ本体から突出する筒状のノズルとを備えたノズルキャップであって、前記ノズルの外周に該ノズルの軸方向に沿って移動自在に装着される環状の可動支持体と、前記可動支持体にヒンジを介して連結されて前記ノズルの開口端を覆う閉位置と、前記ノズルの開口端から離脱する開位置との間で開閉自在の蓋体とを有することを特徴とする。
【０００９】
上記構成においては、前記蓋体が、前記ノズルの開口よりも小さい注出孔が設けられ、前記可動支持体にヒンジを介して連結されて前記ノズルの開口端に配置される閉位置と、該ノズルの開口端から離脱する開位置との間で開閉自在の下段キャップと、前記下段キャップにヒンジを介して連結され、前記注出孔を閉塞する閉位置と該注出孔を開放する開位置との間で開閉自在の上段キャップとを有するのが好ましい。
【００１０】
上記構成においては、前記ノズルの外周面に、前記可動支持体の内周面に設けた係止爪に係合して該可動支持体の前記ノズルからの抜けを防止する抜け防止用突起が設けられるのが好ましい。
【００１１】
上記構成においては、前記ノズルの前記抜け防止用突起よりも基端側の外周面に、前記蓋体が開位置とされたときに前記係止爪が前記ノズルの基端側から係合可能な保持用突起が設けられるのが好ましい。
【００１２】
上記構成においては、前記キャップ本体の内側に、前記容器本体に収容された内容物と空気とを混合する気液混合栓が設けられ、前記ノズルの内部に内容物と空気との混合物を発泡させる発泡部材が設けられるのが好ましい。
【発明の効果】
【００１３】
本発明によれば、ノズルに装着された可動支持体にヒンジを介して連結される蓋体によりノズルの開口を開閉するようにしたので、その開閉を容易に行うことができる。また、蓋体を開いてノズルの開口から内容物を吐出するときに、可動支持体とともに蓋体をノズルの開口から離れる方向に移動させることができるので、蓋体が邪魔になることなくノズルの開口から内容物を吐出させることができる。
【００１４】
本発明によれば、蓋体を、可動支持体にヒンジを介して開閉自在に連結される下段キャップと、下段キャップにヒンジを介して開閉自在に連結される上段キャップとを有する構成としたので、上段キャップが開かれ下段キャップが閉じられているときには、ノズルの開口よりも小さい注出孔から内容物を勢いよく吐出させて、上段キャップが邪魔になることなく下段キャップに設けられた注出孔から内容物を吐出させることができる。また、上段キャップとともに下段キャップが開かれているときには可動支持体とともに上段キャップと下段キャップとをノズルの開口から離れる方向に移動させることができるので、上段キャップや下段キャップが邪魔になることなくノズルの開口から内容物を吐出させることができる。
【００１５】
本発明によれば、ノズルの外周面に、可動支持体の内周面に設けた係止爪に係合して可動支持体のノズルからの抜けを防止する抜け防止用突起を設けるようにしたので、可動支持体のノズルからの抜けを防止しつつ下段キャップをノズルの開口端に保持することができる。
【００１６】
本発明によれば、ノズルの抜け防止用突起よりも基端側の外周面に、蓋体が開位置とされたときに係止爪がノズルの基端側から係合可能な保持用突起を設けるようにしたので、蓋体が開かれたときに可動支持体をノズルの開口から離れた位置に確実に保持させて、蓋体が邪魔になることなくノズルの開口から内容物を吐出させることができる。
【００１７】
本発明によれば、キャップ本体の内側に、容器本体に収容された内容物と空気とを混合する気液混合栓を設け、ノズルの内部に内容物と空気との混合物を発泡させる発泡部材を設けることにより、例えばこのノズルキャップが装着される容器本体として、内層体と外層体とを備えた二重容器を用いたときに、内容物を空気と混合した泡状としてノズルから容易に吐出することができる。
【図面の簡単な説明】
【００１８】
【図１】本発明の一実施形態であるノズルキャップを備えたキャップ付き容器の正面図である。
【図２】（ａ）は図１に示すノズルキャップの平面図であり、（ｂ）は図１に示すキャップ付き容器の要部拡大断面図である。
【図３】図２（ｂ）に示すキャップ本体の内部構造の拡大断面図である。
【図４】（ａ）は上段キャップが開かれた状態のノズルキャップの平面図であり、（ｂ）は上段キャップが開かれた状態のキャップ付き容器の要部拡大断面図である。
【図５】（ａ）は下段キャップが開かれた状態のノズルキャップの平面図であり、（ｂ）は下段キャップが開かれた状態のキャップ付き容器の要部拡大断面図である。
【発明を実施するための形態】
【００１９】
以下、図面を参照して、本発明をより具体的に例示説明する。
【００２０】
図１に示すキャップ付き容器１は、容器本体１０に本発明の一実施形態であるノズルキャップ２０を装着して構成されている。
【００２１】
図２に示すように、容器本体１０は内層体１１と外層体１２とを備えた二重容器（例えば、内層体が外層体に対して剥離可能に積層されたボトル状容器）となっている。内層体１１は例えば薄肉の合成樹脂により形成され、その内側に内容物を収納する収容空間Ｍを備えている。この収容空間Ｍには、例えばシャンプー、リンス、液体石鹸、除菌剤、うがい薬等のトイレタリー製品や薬品（医薬品）、マヨネーズ、ケチャップ、醤油等の調味料や食品が内容物として収納される。内層体１１の上端部は収容空間Ｍにつながる上部開口１１ａとなっている。外層体１２は例えば合成樹脂により胴部１２ａと口部１２ｂとを備えたボトル状に形成されている。外層体１２は可撓性を有しており、その内部に内層体１１を剥離可能に収納している。外層体１２の口部１２ｂにはその表裏を貫通する一対の空気孔１２ｃが設けられ、これらの空気孔１２ｃを通して内層体１１と外層体１２との間に空気を導入可能とされている。口部１２ｂの外周面には雄ねじ１２ｄが一体に設けられ、さらに、雄ねじ１２ｄを縦方向に切断する一対のスリット１２ｅが設けられている。
【００２２】
一方、ノズルキャップ２０はキャップ本体２１、ノズル２２およびヒンジキャップ２３を備えている。
【００２３】
キャップ本体２１は円筒状の側壁部２１ａと側壁部２１ａの一端に連なる天壁２１ｂとを備えており、側壁部２１ａの内周面には雌ねじ２１ｃが設けられている。雌ねじ２１ｃは外層体１２の口部１２ｂに設けられた雄ねじ１２ｄにねじ結合（螺合）可能となっており、キャップ本体２１つまりノズルキャップ２０は、雌ねじ２１ｃを雄ねじ１２ｄにねじ結合することにより容器本体１０の口部１２ｂに着脱自在に装着される。
【００２４】
本実施形態においては、キャップ本体２１の側壁部２１ａと容器本体１０の口部１２ｂはそれぞれ円筒状に形成され、これらをねじ結合させてノズルキャップ２０を容器本体１０に装着する構造としているが、キャップ本体２１の側壁部２１ａおよび容器本体１０の口部１２ｂをそれぞれ角筒状に形成することもできる。この場合、キャップ本体２１を口部１２ｂにアンダーカット係合等の手段により容器本体１０の口部１２ｂに固定する構成とすることができる。
【００２５】
ノズル２２は円筒状に形成され、キャップ本体２１の天壁２１ｂに一体に連ねて形成されている。ノズル２２は当該天壁２１ｂにキャップ本体２１と同軸に配置されており、当該軸方向に向けて天壁２１ｂから突出している。ノズル２２の内部は内容物の流路２２ａとなっており、その先端は内容物を吐出する開口（吐出口）２２ｂとなっている。また、ノズル２２の基端はキャップ本体２１の内部に連通している。なお、キャップ本体２１とノズル２２は例えば樹脂材料により一体に形成することができる。なお、ノズル２２は円筒状に限らず、例えば角筒状などとすることもできる。
【００２６】
ノズル２２の流路２２ａには２つの発泡部材２４が装着されている。これらの発泡部材２４は、それぞれリング２４ａの端面に固定されたメッシュ２４ｂを備えており、このメッシュ２４ｂは、これを通過する内容物と空気の混合物を発泡させることができる。なお、発泡部材２４の個数や位置、メッシュ２４ｂの目の粗さ等は内容物の種類に応じて適宜変更することができる。
【００２７】
キャップ本体２１の内部には気液混合栓３０が収容されている。気液混合栓３０は、軸方向に重ねて配置される下側栓体３１と上側栓体３２とを備えている。下側栓体３１は容器本体１０の口部１２ｂを閉塞しており、また、その軸心に容器本体１０の口部１２ｂからノズル２２の流路２２ａに向けて内容物を流通させるための流通孔３１ａを備えている。
【００２８】
なお、流通孔３１ａの内部には流量規制部材（筒部材）Ｓが嵌挿されている。この流量規制部材Ｓを内容物の種類に応じて種々の内径のものに変更することにより、流通孔３１ａを流れる内容物の量を調整して、内容物に応じた気液混合比に容易に変更することができる。
【００２９】
下側栓体３１と上側栓体３２の間には複数本の空気流路３３が設けられている。空気流路３３の一端は気液混合栓３０の径方向外側に向けて開口し、キャップ本体２１の側壁部２１ａと口部１２ｂとの間のスリット１２ｅを介して空気孔１２ｃに連通している。また、空気流路３３はその一端から下側栓体３１と上側栓体３２の間を径方向に沿って延びるとともに上方に向けて曲げられ、その他端は流通孔３１ａの外側に近接して開口している。
【００３０】
キャップ本体２１の天壁２１ｂと気液混合栓３０の間には内容物及び空気の逆止弁４０が設けられている。逆止弁４０は円筒状に形成された基部４０ａを備え、基部４０ａの径方向内側にはアーム４０ｂを介して円板状弁体４０ｃが一体に設けられている。円板状弁体４０ｃは流通孔３１ａの開口端と空気流路３３の開口端とに当接して、ノズル２２側から流通孔３１ａへの内容物の逆流とノズル２２側から空気流路３３への空気の逆流とを防止するようになっている。また、基部４０ａの径方向外側には環状弁体４０ｄが一体に設けられ、この環状弁体４０ｄによりキャップ本体２１の天壁２１ｂに設けられた空気導入孔４１が開放可能に閉塞されている。なお、符号４２は円板状弁体４０ｃの過度な変形を防止するための円柱状のストッパである。
【００３１】
外層体１２を圧搾（スクイズ）すると、内層体１１の収容空間Ｍから押し出された内容物が流通孔３１ａを通ってノズル２２の流路２２ａに流され、また、内層体１１と外層体１２との間の空気が空気孔１２ｃ、スリット１２ｅおよび空気流路３３を介してノズル２２の流路２２ａに流される。このとき、円板状弁体４０ｃは内容物や空気の流体圧により開かれてその流れを許容する。そして、空気と混合された内容物はノズル２２の流路２２ａに設けられた一対の発泡部材２４を通過することにより発泡し、泡状となってノズル２２の開口２２ｂから吐出される。
【００３２】
内容物の吐出が完了して外層体１２への圧搾が解除されると、外層体１２は元の形状に弾性復元し、内層体１１と外層体１２との間は負圧になる。これにより、外気が逆止弁４０の環状弁体４０ｄを押し下げて空気導入孔４１からスリット１２ｅと空気孔１２ｃとを介して内層体１１と外層体１２との間に導入される。これにより、外層体１２のみを元の形状に復元させ、内層体１１を減容させることができる。また、流通孔３１ａと空気流路３３はそれぞれ逆止弁４０の円板状弁体４０ｃにより閉塞されているので、内容物や空気がノズル２２から容器本体１０（内層体１１内）に向けて逆流することがない。
【００３３】
次に、ノズルキャップ２０に設けられるヒンジキャップ２３について説明する。図２に示すようにヒンジキャップ２３は可動支持体５０と、下段キャップ５１および上段キャップ５２からなる蓋体Ｃを備えている。
【００３４】
可動支持体５０は、内側円筒部５０ａと外側円筒部５０ｂとがその軸方向の一端において連結壁５０ｃにより一体に連結された円環状に形成されており、ノズル２２の外周に装着されている。内側円筒部５０ａの内周面はノズル２２の外周面に摺接しており、これにより可動支持体５０はノズル２２に対して該ノズル２２の軸方向（長手方向）に沿って移動自在となっている。連結壁５０ｃの上面（キャップ本体２１とは反対側を向く面）には円筒状の保持筒５０ｄが一体に設けられ、この保持筒５０ｄの上端側には径方向外側に突出する保持爪５０ｅが一体に設けられている。
【００３５】
内側円筒部５０ａの内周面の下端側には径方向内側に向けて突出する円環状の係止爪５０ｆが一体に設けられている。一方、ノズル２２の外周面の軸方向の略中央部には抜け防止用突起５３が一体に設けられている。抜け防止用突起５３は周方向に沿って延びる円環状に形成され、当該外周面から径方向外側に向けて突出している。可動支持体５０は、内側円筒部５０ａに設けられた係止爪５０ｆがノズル２２の基端側（キャップ本体２１側）から抜け防止用突起５３に係合することにより、ノズル２２に対するそれ以上の上方側への移動が規制されている。これにより、可動支持体５０つまりヒンジキャップ２３のノズル２２からの抜けが防止される。
【００３６】
また、ノズル２２の外周面には抜け防止用突起５３よりも基端側に位置して保持用突起５４が設けられている。保持用突起５４は周方向に沿って延びる円環状に形成され、当該外周面から径方向外側に向けて突出している。内側円筒部５０ａに設けられた係止爪５０ｆはノズル２２の基端側から保持用突起５４に係合することができる。係止爪５０ｆをノズル２２の基端側から保持用突起５４に係合させることにより、可動支持体５０をノズル２２の基端側に保持することができる。
【００３７】
下段キャップ５１は下側半分が可動支持体５０の外側円筒部５０ｂと略同径の円筒状で上側半分が下側半分よりも僅かに小径の円筒状の段付き円筒状に形成された下段上蓋５５を備えている。下段上蓋５５の上端には保持筒５５ａが一体に設けられ、保持筒５５ａの上端側には径方向外側に突出する保持爪５５ｂが一体に設けられている。
【００３８】
下段上蓋５５の内側には中栓５６が設けられている。中栓５６は有頂筒状に形成され、その上端壁５６ａには３つの注出孔５６ｂが周方向に等間隔に並べて設けられている。これらの注出孔５６ｂはそれぞれノズル２２の開口２２ｂよりも小径の円形に形成されており、ノズル２２から送られてきた内容物を勢いよく吐出することができる。なお、注出孔５６ｂはこれらの合計の開口面積がノズル２２の開口２２ｂの開口面積よりも小さければ、円形のものを３つ設ける構成に限らず、種々の形状のものを任意の数だけ設けることもできる。中栓５６はその下端に設けられたフランジ部５６ｃの外周縁において下段上蓋５５に固定されている。
【００３９】
なお、下段キャップ５１は、下段上蓋５５に中栓５６を固定する構成に限らず、これらを一体に形成した構成とすることもできる。
【００４０】
下段キャップ５１はヒンジ５７を介して可動支持体５０に連結され、当該ヒンジ５７を介して可動支持体５０に対して開閉することができるようになっている。中栓５６の基端には環状溝５６ｄが設けられ、下段キャップ５１が可動支持体５０に対して閉じた状態つまり閉位置とされたときには、中栓５６の環状溝５６ｄがノズル２２の開口端に係合する。このように、下段キャップ５１が可動支持体５０に対して閉じられると、当該下段キャップ５１がノズル２２の開口端に配置されてノズル２２の開口端に中栓５６が設けられた状態となる。
【００４１】
下段上蓋５５の内周面の下端側には径方向内側へ向けて突出する係合爪５５ｃが一体に設けられており、下段キャップ５１が可動支持体５０に対して閉じた状態になると、下段上蓋５５が可動支持体５０の保持筒５０ｄの外側に嵌め合わされるとともに係合爪５５ｃが可動支持体５０の保持爪５０ｅにアンダーカット係合して下段キャップ５１は閉位置に保持される。一方、係合爪５５ｃと保持爪５０ｅとのアンダーカット係合が解除されて下段キャップ５１が可動支持体５０に対して開いた状態つまり開位置とされると、中栓５６がノズル２２の開口端から離脱してノズル２２の開口２２ｂが開放される。
【００４２】
なお、下段上蓋５５の外周面には、そのヒンジ５７に対して軸心を中心とした点対称の位置に摘み片５８が一体に設けられ、この摘み片５８を用いて下段キャップ５１の開閉を容易に行うことができる。
【００４３】
上段キャップ５２は下段キャップ５１の下段上蓋５５の上側半分の部分と略同径の有頂筒状に形成されている。上段キャップ５２はヒンジ５９を介して下段キャップ５１に連結され、当該ヒンジ５９を介して下段キャップ５１に対して開閉することができるようになっている。
【００４４】
上段キャップ５２の内周面の下端側には径方向内側へ向けて突出する係合爪５２ａが一体に設けられており、上段キャップ５２が下段キャップ５１に対して閉じた状態つまり閉位置となると、上段キャップ５２が下段キャップ５１の保持筒５５ａの外側に嵌め合わされるとともに係合爪５２ａが下段キャップ５１の保持爪５５ｂにアンダーカット係合して上段キャップ５２は閉位置に保持される。上段キャップ５２の天壁内面には閉塞筒５２ｂが一体に設けられており、上段キャップ５２が下段キャップ５１に対して閉じた状態になると、閉塞筒５２ｂが中栓５６の注出孔５６ｂが設けられた上端壁５６ａに係合して、中栓５６つまり注出孔５６ｂが上段キャップ５２により閉塞される。一方、係合爪５２ａと保持爪５５ｂとのアンダーカット係合が解除されて上段キャップ５２が下段キャップ５１に対して開いた状態つまり開位置とされると、中栓５６つまり注出孔５６ｂが開放され、中栓５６の注出孔５６ｂから内容物を吐出することができる。
【００４５】
なお、上段キャップ５２の外周面には、そのヒンジ５９に対して軸心を中心とした点対称の位置に摘み片６０が一体に設けられ、この摘み片６０を用いて上段キャップ５２の開閉を容易に行うことができる。
【００４６】
上段キャップ５２を下段キャップ５１に連結するヒンジ５９は、下段キャップ５１を可動支持体５０に連結するヒンジ５７に対して、そのノズル２２の軸方向から視た平面視で、当該軸方向を中心として１８０度ずれた位置に配置されている。これにより、可動支持体５０に対して下段キャップ５１が１８０度で開かれ、また、下段キャップ５１に対して上段キャップ５２が１８０度で開かれた形状として、可動支持体５０、ヒンジ５７、下段上蓋５５、ヒンジ５９および上段キャップ５２を例えば樹脂材料の射出成形等により一体に形成することができる。この場合、中栓５６のみが別体で形成され、下段上蓋５５に嵌め込み等の手段により固定されることになるが、下段キャップ５１を下段上蓋５５と中栓５６とを一体の構成とした場合には、これらも一体に形成することができる。
【００４７】
なお、上段キャップ５２を下段キャップ５１に連結するヒンジ５９と、下段キャップ５１を可動支持体５０に連結するヒンジ５７とを、ノズル２２の軸方向から視た平面視で、互いに１８０度ずらして配置するに限らず、例えば、これらのヒンジ５７，５９を互いに９０度ずらして配置するなど、任意の角度ずらした配置とすることもできる。
【００４８】
このようなノズルキャップ２０では、図２に示すように、可動支持体５０に対して蓋体Ｃを閉じた状態、つまり下段キャップ５１を閉じた状態とするとともに下段キャップ５１に対して上段キャップ５２を閉じた状態とすることにより、ノズル２２の開口２２ｂを閉塞することができる。このとき、下段キャップ５１（中栓５６）がノズル２２の開口端に配置されるとともに、可動支持体５０の係止爪５０ｆが抜け防止用突起５３にノズル２２の基端側から係合するので、ヒンジキャップ２３をノズル２２の先端側に位置決め保持することができる。
【００４９】
また、図４に示すように、可動支持体５０に対して下段キャップ５１を閉じた状態としたまま下段キャップ５１に対して上段キャップ５２を開くことにより、中栓５６を露出させて内容物を中栓５６の注出孔５６ｂから吐出させることができる。このとき、ヒンジキャップ２３はノズル２２の先端側に位置決め保持されているので、中栓５６の注出孔５６ｂから安定して内容物を吐出させることができる。中栓５６から内容物を吐出する際には、注出孔５６ｂから内容物が勢いよく吐出されるので、開かれた上段キャップ５２がノズル２２の開口２２ｂの近くにあっても、これが邪魔になることなく内容物を吐出させることができる。
【００５０】
なお、ノズル２２の外周面に抜け防止用突起５３に隣接して環状の保持突起６１を設けることにより、可動支持体５０の係止爪５０ｆを抜け防止用突起５３と保持突起６１との間で挟んでヒンジキャップ２３をノズル２２の開口側に保持させることができる。
【００５１】
図５に示すように、蓋体Ｃを開く、つまり上段キャップ５２を下段キャップ５１に対して閉じた状態のまま下段キャップ５１を可動支持体５０に対して開くことにより、ノズル２２の開口２２ｂを外部に露出させて、中栓５６を用いることなくノズル２２の開口２２ｂから直接内容物を吐出させることができる。この場合、蓋体Ｃ（下段キャップ５１）を開いた後、可動支持体５０をノズル２２に沿って当該ノズル２２の基端側に向けて移動させることで、この可動支持体５０とともに開かれた状態の蓋体Ｃつまり上段キャップ５２と下段キャップ５１とをノズル２２の開口２２ｂから離れた位置にまで移動させることができる。したがって、ノズル２２の開口２２ｂから内容物を吐出する際に、当該ノズル２２の先端を吐出対象物に近づけても、蓋体Ｃ（上段キャップ５２や下段キャップ５１）が邪魔になることがなく、ノズル２２の開口２２ｂから内容物を容易に吐出させることができる。
【００５２】
可動支持体５０をノズル２２の基端側に移動させると、その係止爪５０ｆがノズル２２の基端側から保持用突起５４に係合するとともに可動支持体５０の基端がキャップ本体２１の天壁２１ｂに軸方向から当接して可動支持体５０はノズル２２の基端に保持される。これにより、蓋体Ｃ（下段キャップ５１）を開いてノズル２２の開口２２ｂから内容物を吐出するときに、可動支持体５０をノズル２２の開口から離れた位置に確実に保持させることができる。
【００５３】
このように、このノズルキャップ２０が装着された容器本体１０から内容物を吐出する際には、ヒンジキャップ２３に設けられた上段キャップ５２または下段キャップ５１を回動操作するだけの簡単な操作で、蓋体Ｃつまり上段キャップ５２や下段キャップ５１を吐出の邪魔にさせることなく、内容物を容易に吐出することができる。また、使用後には、上段キャップ５２または下段キャップ５１を回動操作するだけの簡単な操作でノズル２２の開口２２ｂを容易に閉じることができる。
【００５４】
本発明は前記実施の形態に限定されるものではなく、その要旨を逸脱しない範囲で種々変更可能であることはいうまでもない。
【００５５】
例えば、前記実施の形態においては、蓋体Ｃは下段キャップ５１と上段キャップ５２を有する二段構造とされているが、これに限らず、ノズル２２の開口２２ｂを閉塞する１つの蓋体のみを有する構成とすることもできる。
【００５６】
また、本発明のノズルキャップ２０を二重容器として構成された容器本体１０に装着するようにしているが、これに限らず、二重容器ではない通常の容器本体１０に用いることもできる。
【００５７】
さらに、前記実施の形態においては、キャップ本体２１の内部に気液混合栓３０を設けるとともにノズル２２の内部に発泡部材２４を設けて内容物を泡状として吐出するようにしているが、これに限らず、気液混合栓３０や発泡部材２４を設けず、内容物をそのままノズル２２から吐出させるようにしてもよい。
【００５８】
さらに、内容物は前記実施の形態に限定されることなく、本発明のノズルキャップを他の内容物を吐出するための用途として用いることもできる。
【符号の説明】
【００５９】
１０    容器本体
１２ｂ  口部
２０    ノズルキャップ
２１    キャップ本体
２２    ノズル
２２ｂ  開口
２４    発泡部材
３０    気液混合栓
５０    可動支持体
５０ｆ  係止爪
５１    下段キャップ
５２    上段キャップ
５３    抜け防止用突起
５４    保持用突起
５６    中栓
５６ｂ  注出孔
５７，５９  ヒンジ
Ｃ    蓋体
【図１】
2014148333.tif 000003
【図２】
2014148333.tif 000004
【図３】
2014148333.tif 000005
【図４】
2014148333.tif 000006
【図５】
2014148333.tif 000007